(57)【要約】【課題】  ストロー飲み口を簡単な操作で露出することができ、これを覆うフードないしは蓋体が確実に固定されて、ストロー飲み口の収容状態では、フードないし蓋体を確実に閉じることができる飲料容器を提供すること。【解決手段】  上面に開口部を有し、内部に飲料を収容する容器本体１１と、前記開口部を着脱可能に覆うアダプター１６とを有する飲料容器であって、前記アダプターが、前記容器本体とそれぞれ連通したストロー飲み口４０と、通気孔５３とを備えるとともに、前記ストロー飲み口を開閉可能に覆う開閉蓋３０と、前記通気孔を開閉する通気開閉部材２０とを有しており、前記開閉蓋３０の閉止状態では、前記通気開閉部材２０により該開閉蓋の移動が規制され、前記開閉蓋３０の開放状態では、該開閉蓋により前記通気開閉部材２０の移動が規制される構成とした。【選択図】        図２
2006335464.tif 000002
【特許請求の範囲】
【請求項１】
上面に開口部を有し、内部に飲料を収容する容器本体と、前記開口部を着脱可能に覆うアダプターとを有する飲料容器であって、
前記アダプターが、
前記容器本体とそれぞれ連通したストロー飲み口と、通気孔とを備えるとともに、
前記ストロー飲み口を開閉可能に覆う開閉蓋と、前記通気孔を開閉する通気開閉部材とを有しており、
前記開閉蓋の閉止状態では、前記通気開閉部材により該開閉蓋の移動が規制され、
前記開閉蓋の開放状態では、該開閉蓋により前記通気開閉部材の移動が規制される構成とした
ことを特徴とする飲料容器。
【請求項２】
前記開閉蓋が閉止された状態で、前記通気開閉部材に設けた規制手段が前記開閉蓋に係合して前記開閉蓋の開動作を規制し、前記開閉蓋が開かれた状態では、該開閉蓋に設けた規制手段が前記通気開閉手段に係合して、該通気開閉手段の移動を規制する構成としたことを特徴とする請求項１に記載の飲料容器。
【請求項３】
前記開閉蓋が開き位置で、前記ストロー飲み口が外部に露出した状態では、前記通気開閉部材の少なくとも一部が前記アダプターの外縁より外方に位置する構成としたことを特徴とする請求項１または２のいずれかに記載の飲料容器。
【請求項４】
前記開閉蓋は、前記アダプターの本体に対して、回動することで開閉するとともに、閉止状態において、前記ストロー飲み口を屈曲して内側に収容する構成であり、かつ前記通気開閉部材は、前記開閉蓋に対して近接／離間するように進退して、前記通気孔を開閉する構成としたことを特徴とする請求項１ないし３のいずれかに記載の飲料容器。
【発明の詳細な説明】
【技術分野】
【０００１】
この発明は、ストローの飲み口が設けられた飲料容器に係り、内容物である飲料が漏れにくくされた飲料容器の改良に関するものである。
【背景技術】
【０００２】
容器本体に加熱した飲料を収容し、ストローを用いて摂取するようにした主として乳幼児向けの飲料容器が種々提案されており、ストローを屈曲することで密閉を保ったり、開閉可能な通気孔を設けた飲料容器が知られている（特許文献１参照）。
特許文献１に示される飲料容器では、飲用に際して露出されるストロー飲み口が、フード状の部材で塞がれる構成であり、フードを閉めると、比較的柔軟な材料で形成されたストロー飲み口が、屈曲状態でフードの内側に折り畳まれるようになっている。
【０００３】
【特許文献１】特開２００２−３２１７４１
【発明の開示】
【発明が解決しようとする課題】
【０００４】
ところが、従来の飲料容器では、上記フードを開いて、ストロー飲み口を露出させた後で、所定の操作部材を操作しないと、開いたフードを確実に開状態にしておくことができず、徐々に閉まってくる弊害があったり、該操作部材が不用意に動いてしまうといった問題があった。
このため、このような飲料容器では、飲用に際して、通気孔が不用意に開閉してしまったり、フードが不安定で飲用がしずらいという欠点があった。
【０００５】
この発明は、上記課題を解決するためになされたものであり、ストロー飲み口を簡単な操作で露出することができ、これを覆うフードないしは蓋体が確実に固定されて、ストロー飲み口の収容状態では、フードないし蓋体を確実に閉じることができる飲料容器を提供することを目的とする。
【課題を解決するための手段】
【０００６】
上記目的は、請求項１の発明にあっては、上面に開口部を有し、内部に飲料を収容する容器本体と、前記開口部を着脱可能に覆うアダプターとを有する飲料容器であって、前記アダプターが、前記容器本体とそれぞれ連通したストロー飲み口と、通気孔とを備えるとともに、前記ストロー飲み口を開閉可能に覆う開閉蓋と、前記通気孔を開閉する通気開閉部材とを有しており、前記開閉蓋の閉止状態では、前記通気開閉部材により該開閉蓋の移動が規制され、前記開閉蓋の開放状態では、該開閉蓋により前記通気開閉部材の移動が規制される構成とした飲料容器により、達成される。
【０００７】
第１の発明の構成によれば、容器本体に着脱されるアダプターに、ストロー飲み口を有しているので、このストロー飲み口を口に含むことにより、容器本体内の飲料を摂取することができる。
そして、前記アダプターの前記通気開閉部材が、前記通気孔を開閉することで、高い温度の飲料を収容した場合においても、不用意な吹き出しを防止し、あるいは不使用時における飲料の漏れだしを防止する等、状況に応じて通気孔で容器本体内の圧力を調整することができる。
さらに、ストロー飲み口を開閉する開閉蓋は、これが閉止された状態においては、前記通気開閉部材により、該開閉蓋の移動が規制されるので、閉止状態を維持され不用意に開閉蓋が開いてしまうことがなく、ストロー飲み口からの漏れ出しを防ぐ。また、前記開閉蓋が開いた状態では、該開閉蓋により、前記通気開閉部材の移動が規制されるので、不用意な通気孔の開閉が防止され、飲用中における通気孔からの漏れ出し等が防止される。
【０００８】
第２の発明は、第１の発明の構成において、前記開閉蓋が閉止された状態で、前記通気開閉部材に設けた規制手段が前記開閉蓋に係合して前記開閉蓋の開動作を規制し、前記開閉蓋が開かれた状態では、該開閉蓋に設けた規制手段が前記通気開閉手段に係合して、該通気開閉手段の移動を規制する構成としたことを特徴とする。
第２の発明の構成によれば、開閉蓋と通気開閉部材とがそれぞれ規制手段を有し、これら規制手段が相手側部材に対して係合することで、確実に相手側の動きを規制することができる。
【０００９】
第３の発明は、第１または２のいずれかの発明の構成において、前記開閉蓋が開き位置で、前記ストロー飲み口が外部に露出した状態では、前記通気開閉部材の少なくとも一部が前記アダプターの外縁より外方に位置する構成としたことを特徴とする。
第３の発明の構成によれば、前記開閉蓋を開き位置として、前記飲み口が外部に露出した状態では、前記通気開閉部材の少なくとも一部が前記アダプターの外縁より外方に位置する構成を採用することにより、通気開閉部材は飲料容器全体のサイズを最低限の大きさに止めつつ、通気孔の開閉を確実に行うことができる。そして、通気開閉部材はこのような構成に起因して、その少なくとも一部が前記アダプターの外縁より外方に位置する状態となるが、このため、外方に突出した領域に操作の手などが当たりやすくなることから、前記開閉蓋が開いた状態では、該開閉蓋により、前記通気開閉部材の移動が規制される構成とされることが有利である。
【００１０】
第４の発明は、第１ないし３の発明のいずれかの構成において、前記開閉蓋は、前記アダプターの本体に対して、回動することで開閉するとともに、閉止状態において、前記ストロー飲み口を屈曲して内側に収容する構成であり、かつ前記通気開閉部材は、前記開閉蓋に対して近接／離間するように進退して、前記通気孔を開閉する構成としたことを特徴とする。
第４の発明の構成によれば、前記開閉蓋が回動方式により、ストロー飲み口の曲折による閉止を行うことができる。そして、完全な閉止状態においては、通気開閉部材が開閉蓋に対して回動を阻止することで、ストロー飲み口が不用意に開放されないように閉止状態を維持することができ、しかも、通気開閉部材の移動が進退方式とされているため、通気開閉部材と開閉蓋の移動方向が異なるため、確実な閉止構造を実現できる。
【発明を実施するための最良の形態】
【００１１】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１２】
図１ないし図３は、本発明の第１の実施形態に係る飲料容器の全体を示しており、図１は飲料容器の密閉状態の概略斜視図、図２は飲料容器の全開状態の概略斜視図、図３は飲料容器の概略分解斜視図である。
飲料容器１０は、図３に示すように、上面に開口部１１ａを有し、内部に飲料を収容することができる容器本体１１を備えている。容器本体１１は、ガラスやポリプロピレン、ポリカーボネート、ポリエーテルスルフォン等よりなる合成樹脂の成形品で形成されており、大きな開口１１ａを備えることにより、内部にお茶等の飲料だけでなく、粉末ミルクなどをいれて調乳するなどの作業や洗浄が容易になるようにされている。開口部１１ａの外周にはネジ部１１ｂが形成されていて、アダプター１６のアダプター本体５０と着脱されるようになっている。アダプター１６は、例えば、同様の合成樹脂の成形品で形成されている。なお、アダプター１６は、ストロー飲み口に限らず、乳首やスパウト、カップ状の飲み口等を、選択して装着することができる。尚、図３では、通気開閉部材２０の一部は破断されることで、底面の構造の一部を示している。
【００１３】
アダプター１６は、アダプター本体５０と、このアダプター本体５０に装着されるフード部材１５等を備えている。
アダプター本体５０は、扁平な円形の蓋状であって、特に上面（天面）が水平に形成されているとともに、その厚み方向（Ｚ方向）の寸法ができるだけ小さくなるように形成されている。アダプター本体５０は、容器本体１１に装着された状態で、この容器本体５０の開口部１１ａを蓋状に塞ぐとともに、後述するストロー飲み口の通過孔と、通気孔とが形成されることで、容器本体１１の内部空間と外部とを連通させるようになっている。
【００１４】
アダプター本体５０の外周には、外方（Ｙ方向）に突出し、やや湾曲して下方に向かって延びる一対の取っ手１２，１２が一体に形成されている。ここでは、取っ手１２は下方に向かって直線状に延びているが、先端側が手前側（Ｘ方向）に傾斜して延びるように構成してもよく、また、アダプター本体５０と一体に形成するのではなく、取り付け部と一体に形成し、容器本体１１とアダプター本体５０で挟むよう配置してもよい。
アダプター本体５０の上面（天面）には、外方に水平に突出したレール部５１ａ，５１ａを備え，一方向に直線的に延びる一対の案内壁５１，５１が形成されている。また、両案内壁５１，５１の内側には、図３において、取っ手１２，１２を結んだ位置よりやや手前となる身体側付近に、後述するストロー飲み口の挿通孔（以下、「挿通孔」という）５２が設けられている。この実施形態では、挿通孔５２は、容器本体１１に向かって、やや斜めに下降し、手前側斜め上方に向かって開口するように形成されている。
【００１５】
同様に、案内壁５１，５１の内側において、案内壁が延びる方向に沿って奥側となる取っ手１２，１２を結んだ位置より身体とは逆側には、通気孔５３が形成されている。この通気孔５３は、やや上方に突出されるよう、シリコーンやエラストマー等からなる弾性体が着脱可能に配置されて、上端が開口されて容器本体１１の内部空間と連通した形態である。
【００１６】
さらに、アダプター本体５０の案内壁５１，５１の内側において案内壁５１，５１の延びる方向に関して、中間付近には、軸受け５４，５４が一体に形成されており、後述する開閉蓋３０が回動可能に支持されるようになっている。
また、アダプター本体５０の上面には、図３において挿通孔５２のやや手前の位置に、案内壁５１と直行する方向にストロー飲み口の曲折案内壁５５が起立しており、曲折案内壁５５は中間領域がやや曲面状に窪んだ凹状の壁面とされている。
【００１７】
フード部材１５は、アダプター本体５０に装着され、アダプター本体５０の案内壁５１，５１の延びる方向であるＸ方向に沿ってスライドされることにより進退し、アダプター本体５０の上方において、挿通孔５２に装着したストロー飲み口４０と通気孔５３を覆うものである。
第１の実施形態では、フード部材１５は、扁平な円形もしくは円盤状で切り欠かれた部分を有する通気開閉部材２０と、ストロー飲み口４０側で通気開閉部材２０の円形の一部を径方向に沿って帯状に切り欠いた形状でなる開閉蓋３０とを備えている。
ここで、通気開閉部材２０が通気孔５３を開閉し、開閉蓋３０がストロー飲み口４０を開閉するようになっている。
【００１８】
この実施形態では、通気開閉部材２０はその外形がアダプター本体５０の天面とほぼ一致する平らな形状とされている。これにより、図１に示されているように、アダプター本体５０に通気開閉部材２０を重ねて装着した状態で完成されるアダプター１６は、その縦方向（Ｚ方向）の高さが低く、コンパクトになるようにされて、携帯時や収納時に取り扱いやすいよう構成されている。
通気開閉部材５０の下面には、アダプター本体５０の案内壁５１，５１に対応した案内壁２１，２１が形成されており、各案内壁２１，２１の内側には、水平方向に凹状となったの受容部２１ａが設けられている。この受容部２１ａには、アダプター本体５０側の案内壁５１，５１のレール部５１ａが受容され、これにより、通気開閉部材２０は矢印Ｘ方向、すなわち、アダプター本体５０に対してフード部材１５が、挿入孔５２と通気孔５３を結ぶ方向に沿ってスライドするように案内されることができる。
【００１９】
ここで、通気開閉部材２０の移動機構を詳しく説明する。
図４はアダプター本体５０の概略斜視図であり、図５は通気開閉部材２０を移動させる機構を説明するための説明図である。
アダプター本体５０の案内壁５１，５１のレール部５１ａの内側となる凹状溝には、ストロー飲み口４０の挿通孔５２付近に、外方へ突出した凸部５１ｂ，５１ｂが形成されている（図４参照）。
さらに、図５において、アダプター本体側の案内壁５１，５１の外側に位置する通気開閉部材２０側の案内壁２１，２１は、これらの互いに対向する内側に、それぞれ長さ方向の中央付近に、第１の係合凹部２１ｂ，２１ｂと、これらに隣接して第１の係合凸部２１ｃ，２１ｃが形成されている。さらに、通気開閉部材２０側の案内壁２１，２１の対向する内側の先端側（図１ないし図３における手前側）に、第２の係合凸部２１ｄ，２１ｄが第１の係合凸部２１ｃよりも僅かに高くなるよう形成されている。さらに、これら第２の係合凸部２１ｄ，２１ｄから、僅かな距離を隔てて第３の係合凸部２１ｆ，２１ｆが形成されており、第２の係合凸部２１ｄと第３の係合凸部２１ｆの間の領域は、第２の係合凹部２１ｇ，２１ｇとされている。また、通気開閉部材側の案内壁２１，２１の後端（図１ないし図３における奥側）となる後端壁２１ｈの内面に当接する位置には、アダプター本体側に中間領域が切り離されて２つのストッパ壁５１ｃ，５１ｃが形成されている。
【００２０】
フード部材１５が完全に閉じられた図１の状態では、アダプター本体５０の案内壁５１，５１の係合凸部５１ｂ，５１ｂは、図５のように通気開閉部材２０側の案内壁２１，２１の係合凹部２１ｂ，２１ｂに入り込んで、Ｐ２の位置にある。この時、係合凹部２１ｂの後端側（第２の係合凸部２１ｄの逆側）の高さが高く形成された壁面２１ｅ，２１ｅとされており、しかもストッパ壁５１ｃ，５１ｃに通気開閉部材２０側の後端壁２１ｈが当接しているため、通気開閉部材２０は先端側に移動することがないよう構成されている。
【００２１】
通気開閉部材２０を図５の矢印の方向（図１の背後の方向）に移動させると、アダプター本体５０の案内壁５１，５１の係合凸部５１ｂ，５１ｂは、第１の係合凹部２１ｂ，２１ｂを出て第１の係合凸部２１ｃ，２１ｃを乗り越える。さらに移動すると、第３の係合凸部２１ｆ，２１ｆを乗り越えて、僅かに突出量を高くされている第２の係合凸部２１ｄ，２１ｄに当接し、第２の係合凹部２１ｇ，２１ｇに収容されるよう係合される。この位置に配置されると通気開閉部材２０がストロー飲み口４０から離間した状態となる。この位置Ｐ１が図２の状態である。
なお、洗浄等のために通気開閉部材２０を取り外す際には、さらに図５の矢印方向に通気開閉部材２０を移動させることで、先端側の第２の係合凸部２１ｄを係合凸部５１ｂが乗り越えて通気開閉部材２０を取り外すことができ、通気開閉部材２０を外すことで図３に示すように分解できる。また、組み立て時は逆に第２の係合凸部２１ｄから挿入することができるようになっている。この時、第２の係合凸部２１ｄ，２１ｄは通気開閉部材２０の切り欠かれた部分の先端側に配置されているため、第２の係合凸部２１ｄが係合凸部５１ｂを乗り越える際、僅かに通気開閉部材２０の先端側が離間方向に開くように変形しながら着脱を行うことができる。なお、これらの係合するための凹凸構造は逆側に位置するよう構成してもよく、また凹凸では無いことなる係合手段を採用してもよい。
【００２２】
図６はアダプター１６の拡大部分断面図であり、通気開閉部材２０を完全に閉止した状態（密閉状態）を示し、通気開閉部材２０の位置は図５に示す閉止状態である。
通気開閉部材２０の下面には、アダプター本体５０の通気孔５３に上方から当接して塞ぐための手段が形成されている。この実施形態では、軟質樹脂などでなる弾性体５３ａが配置されてなる通気孔５３の閉鎖手段は、水平状の通気開閉部材２０の下面に下方に向けて突出した凸部で形成されている。この閉鎖手段は、密閉時閉止部２３と、開放時閉止部２４の２つの凸部とされていて、通気孔５３を変形させるよう当接して密閉する。この密閉時閉止部２３と開放時閉止部２４との間が、通気孔５３により容器本体内部と外部との通気を許す通気開放部２５となっている。なお、例えば通気孔５３が剛性材で形成され、各閉止部２３，２４が弾性体で形成されてもよく、また、通気孔５３は開口による通気手段ではなく、例えば容器本体１１側を有底状として底部にスリット等を形成する等、各種弁体を配置してより密閉しやすくする等の異なる構造を採用してもよい。
【００２３】
これにより、通気開閉部材２０の上述した移動にともない、その移動位置に対応して、各閉止部２３，２４が通気孔５３を塞ぐようになっており、その移動時における間の通気開放部２５が図５に示す移動距離Ｌ１に対応し、通気開放部２５の位置に通気孔５３が配置されている間は容器本体１１内の空気は、通気孔５３によって外部と連通されている。
通気開閉部材２０の上面には、傾斜面２６が形成されており、通気開閉部材２０を開いたり、取り外したりする際の指がかりとして機能するようにされている。傾斜面２６の表面には、好ましくは凸条などでなる滑り止めが設けられている。
また、後述するように、通気開閉部材２０の図１および図２に表れた前端位置には、通気開閉部材側の規制手段のひとつとしての切欠き段部２７，２７が形成されており、また、図３に示すように通気開閉部材２０の切り欠かれた部分の基部側には、規制手段の異なる手段として係合片２０ａが後述する開閉蓋側に突出するよう形成されており、開閉蓋を閉止した際に、その回動を阻止し、不用意に開かないようになっている。
かくして、通気開閉部材による水平操作を行う構成とすることで、分かりやすく操作性のよい水平方向の移動を少ない部品点数で確実に実現できる。
【００２４】
図１ないし図３を参照する。
ストロー飲み口４０は、図２や図３に示されているように、アダプター本体５０の挿通孔５２から斜め上方に露出され、比較的柔軟な樹脂材料である、シリコーンやエラストマー等の弾性体などで、曲折可能に形成されたストロー状の飲み口部４２と、この飲み口部４２と一体に成形されており、アダプター本体５０の挿通孔５２に挿脱可能に装着するための装着部５１を有している。
ストロー飲み口４０の飲み口部４２は、口唇を閉じる力が弱い乳幼児でも飲みやすいよう、少なくとも断面における外形が上下方向に扁平な楕円または長円状とされている。また、飲み口部４２は、側壁面は均一の厚さとされており、内径も上下方向に扁平な楕円等の形状とされることで、後述するように開閉蓋の閉止時に開閉蓋によってストロー飲み口４０を確実に屈曲させて密閉することができる。つまり、開閉蓋の閉止移動方向に対してストロー飲み口４０が扁平に潰れた形状とされることで、乳幼児でも飲みやすいと同時に、確実にストロー飲み口部４０からの飲料の漏れを防ぐ構成とされている。
なお、先端の開口は飲み口部４２の内径よりも小さな正円状の丸穴とされており、ここでは、飲み口部４２の上下方向に扁平とされた内壁の短辺側と、先端開口を略同じ直径とすることで、先端開口からの流出量が急激に流出することを防ぐよう構成されている。
また、装着部４１の下方は筒状とされており、柔軟な材料で形成され、カップ本体１１内に収容されることで手前側に屈曲して、飲料を最後まで飲めるようにされたチューブ４３（図３参照）が装着されており、このチューブ４３は、筒状とされた装着部４１の下方に挿入され、内径を飲み口部４２の内径よりも小さな内径とすることで、乳幼児等の弱い吸引力であっても、飲料を吸い上げやすい構成とされている。このように、ストロー飲み口４０がカップ本体１１内と連通しており、アダプター本体５０上面から飲み口部４２の部分が斜め前方にやや傾斜して露出するようにされている。
【００２５】
フード部材１５の通気開閉部材２０の水平方向の外形は、ほぼ円形であるが、その円形のストロー飲み口４０側となる前端領域の一部を半径方向に帯状に切り欠くような形態とされており、その切り欠かれた位置に対応して開閉蓋３０が形成されている。開閉蓋３０はアダプター本体５０の上面から露出したストロー飲み口４０の飲み口部４２の上に配置されて、回動により閉じた状態では、飲み口部４２の部分を曲折して閉止することができ、開いた状態では飲み口部４２が露出するようになっている。
具体的には、開閉蓋３０は、図２および図３に示すように、前端部にアダプター本体５０からやや突出した指がかり３４が一体に形成されており、後端部に水平に突出する支軸３２，３２を有している。この支軸３２，３２が図３に示すアダプター本体５０の軸受け部５４，５４に装着されることによって、前端側を揺動させるように回動可能に支持される。すなわち、この実施形態では、開閉蓋は回動形式に移動して、ストロー飲み口を開閉する構成とした例である。また、開閉蓋３０の閉止状態では、指がかり３４の内面に設けられた係止凹部３４ａが、アダプター本体の先端に設けられた係止爪５０ａを乗り越えること、さらには、通気開閉部材２０の規制手段である切り欠き段部２７や係合片２０ａと協働して、ストロー飲み口４０の変形が復元する力によって開閉蓋３０が不用意に開かないようにされている。
【００２６】
開閉蓋３０の上面には、図１で示すように、その中央部から先端よりにかけて、開閉蓋側の規制手段である係合凹部３９が設けられている。この係合凹部３９は後述するように開閉蓋３０が開いた状態において通気開閉部材２０と係合して、その動きを規制する重要な機能を発揮する。
開閉蓋３０の裏面には、幅方向に互いに平行に延びていて、後述するようにストロー飲み口４０の飲み口部材４２を折り曲げるための折り壁（もしくは「押さえ片」あるいは「押さえ壁」）３３，３６が設けられている。折り壁３３と折り壁３６の間と、折壁３６と開閉蓋３０の基端部との間、折壁３３と開閉蓋３０の先端壁の間には、折り曲げた飲み口部４２の収容空間３７ｂ，３７ａ，３７ｃが形成され、閉蓋時に折壁３３と折壁３６の間にはアダプター本体１５側の曲折案内壁５５が配置されるよう構成されている。
つまり、図６に示すように、閉止状態では飲み口部４２の装着部４１側から、開閉蓋３０の折り壁３６で下方に屈曲され、アダプター本体５０側の折り壁５５で上方に屈曲され、さらに折り壁３３によって下方に屈曲された後、アダプター５０の平らな天面に沿って、飲み口部４２の先端が開閉蓋３０の係止爪３４ａが設けられた先端に突き当たって飲み口部４２が屈曲されずに変形しようとすることを防ぐよう構成されており、開閉蓋３０を閉じることで、飲み口部４２に対しては、複数の屈曲部を形成し、これにより閉止状態での飲み口部４２における密閉を保つようにされている。
【００２７】
また、開閉蓋３０の前端側には幅方向両側の位置に外方に突出するようガイド部３５，３５が形成されている。図１に示すように閉止状態では、ガイド部３５の上側には通気開閉部材２０の切欠き段部２７の下側が当接されており、開閉蓋３０が回動して開くことがないよう規制されている。この状態から、使用者が通気開閉部材２０の移動を始めても、ガイド部３５は開閉蓋３０の先端からやや内方まで延びて設けられているため、このガイド部３５が設けられている位置までは、該通気開閉部材２０を移動させても切欠き段部２７に当接されており、開閉蓋３０が開くことがない。また、ガイド部３５から切欠き段部２７が外れても、係止爪５０ａ，３４ａで開閉蓋３０が係止されているため、開閉蓋３０が不用意に開き、飲み口部４２が露出することがない。
そして、図２ないし図３に示すように、開閉蓋３０が開いた使用状態では、支軸部３２側の基部がアダプター本体５０に設けられた収容凹部５６内に位置することとなる。
この時、支軸部３２，３２には、開閉蓋３０の開放位置でアダプター本体５０側に面する方向に支軸部３２，３２から突出した係合リブ３２ａ，３２ａが設けられ、アダプター本体５０の軸受け５４，５４の間に設けられた係合凹部５４ａ，５４ａと係合して、開閉蓋３０は開いた状態で保持される。
さらに、支軸部３２，３２よりも僅かに先端側の側壁面が切り欠かれることで形成された係合凹部３２ｂ，３２ｂに、収容凹部５６のＹ方向における側壁面から突出した係合凸部５６ａ，５６ａが圧入されることで、係合リブ３２ａと係合凹部５４ａによる係合と合わせて、確実に開閉蓋３０が開いた状態を維持できるよう構成されている。なお、これらの係合手段は、その他の係合方法を採用してもよい。
【００２８】
次に、飲料容器１０のアダプター１６の動作について説明する。
図６はアダプター１６の拡大部分断面図であり、通気開閉部材２０を完全に閉止した状態（密閉状態）を示し、図７は通気開閉部材２０を図５で説明した矢印方向に移動させた途中の状態である第１の位置を示し、図８は通気開閉部材２０をさらに移動させて完全に移動させ、開閉蓋３０を開いた第２の位置を示している。
図６において、通気開閉部材２０は閉止状態から移動しておらず、ストロー飲み口４０側に近接した前側に位置し、その密閉時閉止部２３は、アダプター本体側の通気孔５３に上から当接して、弾性体５３ａを僅かに変形させながら通気孔５３を塞いでいる
【００２９】
開閉蓋３０は閉止されており、閉止状態においては、開閉蓋３０の折り壁３６は、ストロー飲み口の飲み口部４２の基部側を上から押さえている。飲み口部４２のさらに中間付近は、アダプター本体５０の曲折案内壁５５により上方に曲折され、さらに先端側は、折り壁３３に上方から押さえられるようにされている。このようにして、完全閉止状態では、ストロー飲み口４０は複数箇所で折り曲げられているとともに、通気孔５３も閉止されるため、容器本体１１は密閉されて液体が流れ出ることがない。
そして、この状態では、係止爪５０ａ，３４ａが係止されることで開閉蓋３０が開かないようにするだけでなく、通気開閉部材２０の係合片２０ａが開閉蓋３０の基部側に設けられた係合凹部３２ｃに入り込み、開閉蓋３０側の上向きの段部と当たって係合するとともに、通気開閉部材２０の切欠き段部２７が開閉蓋３０のガイド部３５上面に当接することで、確実に通気開閉部材２０によって開閉蓋３０の開く動きを規制する規制手段として機能し、開閉蓋３０の閉止状態を維持している。
【００３０】
次に、使用者が通気開閉部材２０の傾斜面２６に指を添えて、図７の矢印Ｓ方向（Ｘ方向左向き）に通気開閉部材２０を移動させると、図７に示す移動途中の段階である第１の位置になる。
この位置では、通気開閉部材２０は図５の凸部５１ｂが第１の係合凸部２１ｃを乗り越えて矢印方向に移動している。この位置で密閉時閉止部２３は、アダプター本体側の通気孔５３から外れ、通気孔５３は通気開閉部材２０の通気開放部２５に位置するので、容器本体１１の内部空間と外部とが連通される。この段階では開閉蓋３０のガイド部３５の、通気開閉部材２０の切欠き段部２７に対するに当接や、開閉蓋３０の係合凹部３２ｃに対する通気開閉部材２０の係合片２０ａの入り込みによる係合が外れて、開閉蓋３０はその先端の係止爪５０ａ，３４ａを外せば開くことができる状態であるが、係止爪５０ａ，３４ａが係止されているため、開閉蓋３０は開かれず、従ってストロー飲み口４０は開放されていない屈曲された状態で維持されている。
これにより、容器本体１１内に、例えば粉末の人工乳を入れて、比較的高温の湯を用いて調乳した後などのように、比較的高い温度の液体が収容されていることで、容器本体に存在する空気の体積が、高温の液体の熱を受けて膨張しても、ストロー飲み口４０が露出される前に、その圧力が通気孔５３を介して通気開放部２５から外部に排出される。したがって、容器本体１１内の圧力は外部に比して高くなることがないので、ストロー飲み口４０を開放した場合にも、高温の飲料がストローを介して外部に噴出する事態を未然に防止することができる。
【００３１】
続いて、通気開閉部材２０を続けて矢印Ｓ方向に移動させると、図８に示す状態となる。すなわち、通気開閉部材２０は図５で説明したように、凸部５１ｂが第３の係合凸部２１ｆを乗り越え，第２の凹部２１ｇに入り込むので、Ｐ１の位置となる通気開閉部材２０が離間位置に移動した状態で止まる。この位置においては、通気開閉部材２０の開放時閉止部２４が通気孔５３の上から当接し、弾性体５３ａを変形させて通気孔５３を塞ぐ。
この状態で、開閉蓋３０について、係止爪５０ａ，３４ａの係止を解除して矢印Ｒ１方向に回動させると、係合リブ３２ａと係合凹部５４ａによる係合及び、係合凹部３２ｂと係合凸部５６ａ，５６ａの圧入によって、開閉蓋３０が開いた状態が維持され、ストロー飲み口４０の上端部４２は、弾性に基づいて、曲折状態から直線状に復帰し、ユーザーはストロー飲み口４０の上端部４２を口腔内にとりいれて飲用することが可能となる。
【００３２】
この時、開閉蓋３０は大きく回動した結果、表裏がほぼ反転しており、図１においてその上面に露出していた規制手段である係合凹部３９は下向きの開口となっている。この係合凹部３９が矢印Ｓ方向に移動し第２の凹部２１ｇに凸部５１ｂが配置された状態で、外方に大きく突出している通気開閉部材２０の係合片２０ａに係合する。つまり、図３で説明した通気開閉部材２０の係合片２０ａの先端側が、開閉蓋３０側の係合凹部３９内に入り込んで支軸部３２側となる係合凹部３９の壁面に当接するよう係合する。これにより、開閉蓋３０の回動が阻止されるだけでなく、通気開閉部材２０が矢印Ｓと逆側に移動してしまうことを防ぐ規制手段とされている。
【００３３】
特に、図８の状態では、通気開閉部材２０は、アダプター本体５０の外縁から、外方に大きく突出しており、この突出箇所に人や物が当たる事態が考えられる。しかしながら、通気開閉部材２０は、上述のように開き状態が確実に維持されているので、第３の係合凸部２１ｆを凸部５１ｂが乗り越えてしまい、不用意に矢印Ｓと反対の方に動いてしまったり、通気開閉部材２０の移動によって開閉蓋３０を閉じるような動作を不用意にしてしまい、飲用を阻害してしまうことが有効に防止される。
【００３４】
さらに、図８の状態において、飲料容器１０が倒れたり、あるいは飲料容器１０を乳幼児が大きく傾けてた場合でも、通気開閉部材２０の開放時閉止部２４が通気孔５３に当接して、これを閉止されているので、通気孔５３から液体がこぼれることがないだけでなく、通気孔５３が閉鎖されていることに伴い、容器本体１１の内圧が保持されるのでストロー飲み口４０からも飲料が流出しにくくされている。
さらに、図８の状態から、使用者がより強い力で矢印Ｓの方向に通気開閉部材２０を移動させると、凸部５１ｂが第２の係合凸部２１ｄを乗り越えることができ（図５参照）、通気開閉部材２０をアダプター本体５０から外すことができる。このため、ストロー飲み口４０等と合わせ、容易に図３に示すような分解状態にすることができるため、洗浄等を行い易く、水平方向への操作によって全てを行うことができる。
【００３５】
かくして、本実施形態によれば、ストロー飲み口４０を簡単な操作で露出することができ、これを覆うフードないしは蓋体である開閉蓋３０が確実に固定されて、ストロー飲み口４０の収容状態では、開閉蓋３０を確実に閉じることができる飲料容器１０を提供することができる。
なお、案内壁２１，５１における係合のための凹凸や、各閉止部２３，２４等の凸部からなる構成等は、凹凸を逆にしたり、凹部をスリット状にするなど、他の嵌合方法を採用してもよく、また、例えば各閉止部２３，２４側を弾性体として、通気孔５３は変形しないよう構成してもよい等、他の構造を採用してもよいのはもちろんである。
【００３６】
図９および図１０は、本発明の第２の実施形態の飲料容器の要部としてのアダプター１６−１を示しており、これらの図において、第１の実施形態と共通する構成には同一の符号を付して重複する説明は省略し、以下、相違点を中心に説明する。
図９は第２の実施形態において、上述した第１の実施形態の飲料容器における図８の状態と同様に、開閉蓋を全開した状態を示す概略斜視図であり、図１０は図９のアダプター１６−１の分解斜視図である。尚、図１０においては通気開閉部材２０−１、開閉蓋３０−１、アダプター本体５０−１は、それぞれ縦断面を示した断面図として、その構造を理解しやすいように表示している。
【００３７】
この実施形態で特徴的なのは、通気開閉部材２０−１が第１の実施形態のように円形ではなく、ほぼ矩形のコンパクトな形態とされている点である。
図１０に示すように、通気開閉部材２０−１の底面には、密閉時閉止部２３を形成され弾性体２３ａが配置されており、その前方（ストロー飲み口４０側）が通気開放部２５とされている。図９のアダプタ本体５０−１に設けた基部５０Ｃに対して、前後に進退することにより移動し、図１０に示された通気孔５３の開閉を行うようになっている。
また、通気開閉部材２０−１は前方側に帯状の切欠き部もしくは幅広いスリット２０ｂを有しており、中央部には前方に突出する係合片２０ａを有している。
【００３８】
図１０において、アダプタ本体５０−１には、第１の実施形態のように取っ手が形成されていないので、第２の実施形態の飲料容器では、取っ手は別体にして容器本体に着脱されるか、取っ手がない状態で使用されてもよい。
また、アダプタ本体５０−１の軸受け５４には、開閉蓋３０−１の支軸３２が着脱される。これにより、開閉蓋３０−１は図９に矢印Ｒ１で示すように回動、すなわち正逆に回転できるようになっている。開閉蓋３０−１は上面に段差が設けられ、ほぼ垂直な壁部には、開閉蓋側の規制手段としての係合凹部３９が上方が開放されて形成されている。
【００３９】
図９に示すように、ストロー飲み口４０が露出する使用状態では、通気開閉部材２０−１が後方いっぱいに後退して移動しており、その端部がアダプター本体５０−１の外縁より外方に突出した状態とされている。この状態とされると開閉蓋３０−１は矢印Ｒ１に示すように開くことができる。つまり、図１０に示すように、開閉蓋３０−１が閉止された収納状態では、通気開閉部材２０−１の係合片２０ａが開閉蓋３０−１の支軸部３２よりも後端側の上壁面の下側となる係合部３２ｃの下側に入り込み、開閉蓋３０−１が不用意に回動しない規制手段とされており、この状態では、通気孔５３に密閉時閉止部２３が当接し、密閉されている。
そして、開閉蓋３０−１が開いた状態では、図１０で説明した開閉蓋３０−１の係合凹部３９には、通気開閉部材２０−１の上記係合片２０ａが圧入されるように入り込んで係合され、開閉蓋３０−１が閉じないようにするとともに、開閉蓋３０−１によって通気開閉部材２０−１が不用意に前方に移動しないよう規制する規制手段になっている。
【００４０】
なお、この状態では、通気孔５３上には通気開放部２５が配置されている。つまり、容器本体１１内に高温の飲料が収容された場合でも、通気開閉部材２０−１を通気孔５３が開くよう操作した後に開閉蓋３０−１を開くため、ストロー飲み口４０から飲料が噴出する恐れがないだけでなく、飲用時に通気孔５３が開いているため、容器本体１１内の圧力が低下しても通気孔５３から外気が流入するため飲用しやすい。
本実施形態は、以上のように構成されており、第１の実施形態と同様の作用効果を発揮することができる。
【００４１】
図１１は、本発明の第３の実施形態の飲料容器の要部を示しており、これらの図において、第１の実施形態と共通する構成には同一の符号を付して重複する説明は省略し、以下、相違点を中心に説明する。
この第３の実施形態では、通気開閉手段２０−２の移動がスライド方向ではなく、矢印Ｒ２で示すような回動もしくは回転方向であることが他の実施形態と相違する。
【００４２】
具体的には、図示しないアダプター本体（アダプター本体は、例えば、第１，第２実施形態のように、容器本体に着脱される円形のものが使用できる）に、例えば、図１１の符号６６で示すような筒状の構造を一体に形成し、周壁には貫通孔を設けて通気孔５３としている。
通気開閉部材２０−２は、楕円若しくは長円状などをしたヘッド部６１と、ヘッド部６１の下面から一体に垂直に延びる長い軸部６３を有しており、軸部６３の円柱状の外周には、縦方向に延びる通気路であるスリット６４が形成されている。
【００４３】
通気開閉部材２０−２の扁平なヘッド部６１の上面には、薄板状に形成したつまみ６２が設けられており、該つまみ６２を掴んでヘッド部６１を矢印Ｒ２の方向に回動させることができるようになっている。ヘッド部６１と一体の軸部６３は、筒状部６６に密接に挿入され、通気孔５３と軸部６３のスリット６４が合う位置においては、通気孔５３が連通している容器本体内部と、スリット６４が連通する外気とが連通されるようなっている。
そして、ヘッド部６１の矢印Ｒ２方向の回動に伴って、軸部６３も筒状部６６内で矢印Ｒ４方向に回動されるようになっており、上述のように、通気孔５３と軸部６３のスリット６４が重なり合う位置においては、通気孔５３が開放され、それ以外の位置においては通気孔５３は塞がれる。
通気開閉部材２０−２側の規制手段として、ヘッド部６１の外周の所定箇所には舌片６７が設けられている。
【００４４】
これに対して、開閉蓋３２−２は、たとえば、半楕円もしくは半長円などの形態であり、上記通気開閉部材２０−２に対向する側の端部が、支軸Ｌに対して、軸受け７１，７１の箇所で回動可能に軸止されており、支軸Ｌを回動中心として、矢印Ｒ３の方向に回動できるようになっており、図示しない係合手段により、開いた状態を維持できる構成とされている。軸受け７１，７１の間には、下側にヘッド部６１の舌片６７が入り込むことができるヒレ状の押さえ板７２が形成されている。舌片６７の上に押さえ板７２が乗り上げている状態では、開閉蓋３０−２は矢印Ｒ３方向の回動を規制されるようになっている。
【００４５】
開閉蓋３２−２の図示していない裏面には、第１の実施形態の開閉蓋３０の裏面と同様に、ストロー飲み口４０を曲折するための折り壁などが形成されている。
開閉蓋３２−２の上面には、開閉蓋側の規制手段として、係合凹部７３が形成されている。この係合凹部７３は、通気開閉部材２０−２のつまみ６２の外形に適合して、図示のように、ヘッド部６１を矢印Ｒ２の方向に回動させて、通気孔５３と軸部６３のスリット６４が合う位置において、つまみ６２を受容できる形態の凹部とされている。
【００４６】
本実施形態は以上のように構成されており、通気開閉部材のヘッド部６１を回動させて、スリット６４と通気孔５３が重なり合う飲用状態では、開閉蓋３０−２はＲ３の方向に回動でき、この回動により開閉蓋３０−２はヘッド部６１の上に重なり、つまみ６２は開閉蓋３０−２側の係合凹部７３内に入り込むので、ヘッド部６１のＲ２方向の回動は阻止される。
このように、開閉蓋３０−２と通気孔５３を閉じた未使用状態では、開閉蓋３０−２側の押さえ板７２の下側にヘッド部６１の舌片６７が配置されるため、開閉蓋３０−２が開く動きを通気開閉部材２０−２によって規制するとともに、スリット６４と通気孔５３が一致した位置にないことで通気孔５３を密閉している。
そして使用状態とするために、ヘッド部６１をＲ２の方向に９０度回転させて通気孔５３の位置にスリット６４を配置させることとなり通気孔５３が外気と連通する。その後、開閉蓋３０−２をＲ３の方向に開いて使用状態とすると、通気開閉部材２０−２のつまみ６２が開閉蓋３０−２の係合凹部７３に入り込んで係合し、開閉蓋３０−２の開いた状態が維持されるため、通気開閉部材２０−２の動きが開閉蓋３０−２によって規制される。
このように、開閉蓋３０と通気開閉部材２０の移動位置に応じた係合手段をそれぞれ形成するとともに、開閉蓋３０と通気開閉部材２０の移動方向が異なることにより、配置された位置からの移動を規制することができる。
かくして、この実施形態によれば、通気開閉部材２０−２が、回動するように移動するものとして構成しても、第１および第２の実施形態と同様に作用効果を発揮することができる。
【００４７】
本発明は上述の各実施形態に限定されない。
例えば、容器本体１１は、その開口部１１ａを比較的小さな瓶状の形態としてもよく、アダプター１６を着脱する構造を有していれば、例えば所謂ＰＥＴボトル飲料やアルミ等によるショットボトル飲料におけるボトル自体とされていてもよい。また、ストロー飲み口４０はストロー状だけでなく、所謂スパウト状とされていてもよく、飲料を摂取するための飲み口であればよい。
上述の各実施形態における各構成は、必要により、その一部を省略したり、他の構成と入れ換えて、異なる構成の組み合わせのもとで実施されてもよい。
【図面の簡単な説明】
【００４８】
【図１】本発明の第１の実施形態にかかる飲料容器の概略斜視図。
【図２】本発明の第１の実施形態にかかる飲料容器の概略斜視図。
【図３】図１の飲料容器の概略分解斜視図。
【図４】図１の飲料容器のアダプター本体の概略斜視図。
【図５】図１の飲料容器の移動機構の説明図。
【図６】図１の飲料容器のアダプターの概略断面図。
【図７】図１の飲料容器のアダプターの概略断面図。
【図８】図１の飲料容器のアダプターの概略断面図。
【図９】本発明の第２の実施形態にかかる飲料容器の要部の概略斜視図。
【図１０】本発明の第２の実施形態にかかる飲料容器の要部の分解斜視図。
【図１１】本発明の第３の実施形態にかかる飲料容器の要部の図。
【符号の説明】
【００４９】
１０・・・飲料容器、１１・・・容器本体、１２・・・取っ手、１５・・・フード部材、１６・・・アダプター、２０・・・通気開閉部材、３０・・・開閉蓋、４０・・・ストロー飲み口、５０・・・アダプター本体
【図１】
2006335464.tif 000003
【図２】
2006335464.tif 000004
【図３】
2006335464.tif 000005
【図４】
2006335464.tif 000006
【図５】
2006335464.tif 000007
【図６】
2006335464.tif 000008
【図７】
2006335464.tif 000009
【図８】
2006335464.tif 000010
【図９】
2006335464.tif 000011
【図１０】
2006335464.tif 000012
【図１１】
2006335464.tif 000013